【手続補正書】
【提出日】令和3年4月12日(2021.4.12)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
前記ＵＥと基地局との間の確立されたビームペアリンク（ＢＰＬ）のビーム改良プロシージャに関する情報を前記基地局から取得することと、前記ビーム改良プロシージャは、基準信号（ＲＳ）を送信するためのＲＳリソースのセットを伴い、前記情報は、ＲＳリソースが、前記基地局によって、同じ送信ビームを使用して送信されるべきであるか異なる送信ビームのセットを使用して送信されるべきであるかを示す、
前記情報に基づいて、どの受信ビームまたは受信ビームのセットを、前記基地局によって送信された前記ＲＳリソースの受信のために使用すべきかを決定することと、
前記決定に従って前記ＲＳリソースを受信することと
を備える、方法。
【請求項２】
前記決定に従って受信された前記ＲＳリソースに基づいて、ビームペアリンク（ＢＰＬ）のＵＥ受信ビームを更新することをさらに備える、請求項１に記載の方法。
【請求項３】
前記決定に従って受信された前記ＲＳリソースに基づいて、前記送信ビームのうちの１つまたは複数に関するフィードバックを前記基地局に与えることをさらに備える、請求項１に記載の方法。
【請求項４】
前記情報は、第１の送信ビームが、複数のシンボルの第１のセットの各々においてＲＳリソースを送信するために使用されることを示し、
前記ＵＥが、複数のシンボルの前記第１のセットにおいて送信された前記ＲＳリソースを受信するために、異なる受信ビームを使用することを決定する、
請求項１に記載の方法。
【請求項５】
前記情報はまた、第２の送信ビームが、複数のシンボルの第２のセットの各々においてＲＳリソースを送信するために使用されることを示し、
前記ＵＥがまた、複数のシンボルの前記第２のセットにおいて送信された前記ＲＳリソースを受信するために、異なる受信ビームを使用することを決定する、
請求項４に記載の方法。
【請求項６】
前記ＵＥが、シンボルの前記第１のセットとシンボルの前記第２のセットの両方において送信された前記ＲＳリソースを受信するために、受信ビームの同じセットを使用することを決定する、請求項５に記載の方法。
【請求項７】
前記情報は、複数の送信ビームの同じセットが、複数のシンボルの第１のセットの各々において異なる周波数ＲＳリソースを送信するために使用されることを示し、
前記ＵＥが、複数のシンボルの前記第１のセットにおいて送信された前記ＲＳリソースを受信するために、異なる受信ビームを使用することを決定する、
請求項１に記載の方法。
【請求項８】
ＲＳ構成に基づいて、どの周波数ＲＳリソースが、前記複数の送信ビームの各々を用いて送信されるかを決定すること
をさらに備える、請求項７に記載の方法。
【請求項９】
前記情報は、第１の送信ビームが、シンボル内のサブシンボルの第１のセットの各々においてＲＳリソースを送信するために使用されることを示し、
前記ＵＥが、サブシンボルの前記第１のセットにおいて送信された前記ＲＳリソースを受信するために、異なる受信ビームを使用することを決定する、
請求項１に記載の方法。
【請求項１０】
ＲＳ構成に基づいて、前記サブシンボルの各々において繰り返されるＲＳの周期性を決定すること
をさらに備える、請求項９に記載の方法。
【請求項１１】
前記情報が、前記ＲＳリソースを送信するための送信ビームパターンの異なる組合せをもつテーブルへのインデックスとして与えられる、請求項１に記載の方法。
【請求項１２】
基地局によるワイヤレス通信のための方法であって、
どの送信ビームを、ユーザ機器（ＵＥ）と前記基地局との間の確立されたビームペアリンク（ＢＰＬ）のビーム改良プロシージャの一部として前記ＵＥに基準信号（ＲＳ）リソースを送信するために使用すべきかを決定することと、
ＲＳリソースが、前記基地局によって、同じ送信ビームを使用して送信されるべきであるか異なる送信ビームのセットを使用して送信されるべきであるかを示す情報を前記ＵＥに与えることと、
前記決定に従って前記ＲＳリソースを送信することと
を備える、方法。
【請求項１３】
ユーザ機器（ＵＥ）によるワイヤレス通信のための装置であって、
前記ＵＥと基地局との間の確立されたビームペアリンク（ＢＰＬ）のビーム改良プロシージャに関する情報を前記基地局から取得するための手段と、前記ビーム改良プロシージャは、基準信号（ＲＳ）を送信するためのＲＳリソースのセットを伴い、前記情報は、どのＲＳリソースが、前記基地局によって、同じ送信ビームまたは異なる送信ビームのセットを使用して送信されるべきであるかを示す、
前記情報に基づいて、どの受信ビームまたは受信ビームのセットを、前記基地局によって送信された前記ＲＳリソースの受信のために使用すべきかを決定するための手段と、
前記決定に従って前記ＲＳリソースを受信するための手段と
を備える、装置。
【請求項１４】
基地局によるワイヤレス通信のための装置であって、
どの送信ビームを、ユーザ機器（ＵＥ）と前記基地局との間の確立されたビームペアリンク（ＢＰＬ）のビーム改良プロシージャの一部として前記ＵＥに基準信号（ＲＳ）リソースを送信するために使用すべきかを決定するための手段と、
ＲＳリソースが、前記基地局によって、同じ送信ビームを使用して送信されるべきであるか異なる送信ビームのセットを使用して送信されるべきであるかを示す情報を前記ＵＥに与えるための手段と、
前記決定に従って前記ＲＳリソースを送信するための手段と
を備える、装置。
【請求項１５】
少なくとも１つのプロセッサによって実行されると、請求項１〜１２のうちのいずれかに記載の方法を実行する命令を備えるコンピュータプログラム。
【手続補正２】
【補正対象書類名】明細書
【補正対象項目名】０１１９
【補正方法】変更
【補正の内容】
【０１１９】
[0123]特許請求の範囲は、上記で示された厳密な構成および構成要素に限定されないことを理解されたい。上記で説明された方法および装置の構成、動作ならびに詳細において、特許請求の範囲の範囲から逸脱することなく、様々な改変、変更および変形が行われ得る。
以下に本願発明の当初の特許請求の範囲に記載された発明を付記する。
［Ｃ１］
ユーザ機器（ＵＥ）によるワイヤレス通信のための方法であって、
基準信号（ＲＳ）を送信するためのＲＳリソースのセットを伴うビーム改良プロシージャに関する情報を取得することと、前記情報は、どのＲＳリソースが、同じ送信ビームまたは送信ビームの同じセットを使用して基地局によって送信されるべきであるかを示す、
前記情報に基づいて、どの受信ビームまたは受信ビームのセットを、前記基地局によって送信された前記ＲＳリソースの受信のために使用すべきかを決定することと、
前記決定に従って前記ＲＳリソースを受信することと
を備える、方法。
［Ｃ２］
前記決定に従って受信された前記ＲＳリソースに基づいて、ビームペアリンク（ＢＰＬ）のＵＥ受信ビームを更新することをさらに備える、Ｃ１に記載の方法。
［Ｃ３］
前記決定に従って受信された前記ＲＳリソースに基づいて、前記送信ビームのうちの１つまたは複数に関するフィードバックを前記基地局に与えることをさらに備える、Ｃ１に記載の方法。
［Ｃ４］
前記情報は、第１の送信ビームが、複数のシンボルの第１のセットの各々においてＲＳリソースを送信するために使用されることを示し、
前記ＵＥが、複数のシンボルの前記第１のセットにおいて送信された前記ＲＳリソースを受信するために、異なる受信ビームを使用することを決定する、
Ｃ１に記載の方法。
［Ｃ５］
前記情報はまた、第２の送信ビームが、複数のシンボルの第２のセットの各々においてＲＳリソースを送信するために使用されることを示し、
前記ＵＥがまた、複数のシンボルの前記第２のセットにおいて送信された前記ＲＳリソースを受信するために、異なる受信ビームを使用することを決定する、
Ｃ４に記載の方法。
［Ｃ６］
前記ＵＥが、シンボルの前記第１のセットとシンボルの前記第２のセットの両方において送信された前記ＲＳリソースを受信するために、受信ビームの同じセットを使用することを決定する、Ｃ５に記載の方法。
［Ｃ７］
前記情報は、複数の送信ビームの同じセットが、複数のシンボルの第１のセットの各々において異なる周波数ＲＳリソースを送信するために使用されることを示し、
前記ＵＥが、複数のシンボルの前記第１のセットにおいて送信された前記ＲＳリソースを受信するために、異なる受信ビームを使用することを決定する、
Ｃ１に記載の方法。
［Ｃ８］
ＲＳ構成に基づいて、どの周波数ＲＳリソースが、前記複数の送信ビームの各々を用いて送信されるかを決定すること
をさらに備える、Ｃ７に記載の方法。
［Ｃ９］
前記情報は、第１の送信ビームが、シンボル内のサブシンボルの第１のセットの各々においてＲＳリソースを送信するために使用されることを示し、
前記ＵＥが、サブシンボルの前記第１のセットにおいて送信された前記ＲＳリソースを受信するために、異なる受信ビームを使用することを決定する、
Ｃ１に記載の方法。
［Ｃ１０］
ＲＳ構成に基づいて、前記サブシンボルの各々において繰り返されるＲＳの周期性を決定すること
をさらに備える、Ｃ９に記載の方法。
［Ｃ１１］
前記情報が、ダウンリンク制御情報（ＤＣＩ）送信を介して取得される、Ｃ１に記載の方法。
［Ｃ１２］
前記情報が、チャネル状態情報基準信号（ＣＳＩ−ＲＳ）セットアップ情報を用いて取得される、Ｃ１に記載の方法。
［Ｃ１３］
前記情報が、前記ＲＳリソースを送信するための送信ビームパターンの異なる組合せをもつテーブルへのインデックスとして与えられる、Ｃ１に記載の方法。
［Ｃ１４］
基地局によるワイヤレス通信のための方法であって、
どの送信ビームを、ビーム改良プロシージャの一部としてユーザ機器（ＵＥ）に基準信号（ＲＳ）リソースを送信するために使用すべきかを決定することと、
どのＲＳリソースが、同じ送信ビームまたは送信ビームの同じセットを使用して前記基地局によって送信されるべきであるかを示す情報を前記ＵＥに与えることと、
前記決定に従って前記ＲＳリソースを送信することと
を備える、方法。
［Ｃ１５］
前記ＵＥによって受信されたＲＳリソースに基づいて、前記送信ビームのうちの１つまたは複数に関するフィードバックを前記ＵＥから受信することをさらに備える、Ｃ１４に記載の方法。
［Ｃ１６］
前記情報は、第１の送信ビームが、複数のシンボルの第１のセットの各々においてＲＳリソースを送信するために使用されることを示す、
Ｃ１４に記載の方法。
［Ｃ１７］
前記情報はまた、第２の送信ビームが、複数のシンボルの第２のセットの各々においてＲＳリソースを送信するために使用されることを示す、
Ｃ１６に記載の方法。
［Ｃ１８］
前記情報は、複数の送信ビームの同じセットが、複数のシンボルの第１のセットの各々において異なる周波数ＲＳリソースを送信するために使用されることを示す、
Ｃ１４に記載の方法。
［Ｃ１９］
前記情報は、第１の送信ビームが、シンボル内のサブシンボルの第１のセットの各々においてＲＳリソースを送信するために使用されることを示す、
Ｃ１４に記載の方法。
［Ｃ２０］
前記情報が、ダウンリンク制御情報（ＤＣＩ）送信を介して与えられる、Ｃ１４に記載の方法。
［Ｃ２１］
前記情報が、チャネル状態情報基準信号（ＣＳＩ−ＲＳ）セットアップ情報を用いて与えられる、Ｃ１４に記載の方法。
［Ｃ２２］
前記情報が、前記ＲＳリソースを送信するための送信ビームパターンの異なる組合せをもつテーブルへのインデックスとして与えられる、Ｃ１４に記載の方法。
［Ｃ２３］
ユーザ機器（ＵＥ）によるワイヤレス通信のための装置であって、
基準信号（ＲＳ）を送信するためのＲＳリソースのセットを伴うビーム改良プロシージャに関する情報を取得するための手段と、前記情報は、どのＲＳリソースが、同じ送信ビームまたは送信ビームの同じセットを使用して基地局によって送信されるべきであるかを示す、
前記情報に基づいて、どの受信ビームまたは受信ビームのセットを、前記基地局によって送信された前記ＲＳリソースの受信のために使用すべきかを決定するための手段と、
前記決定に従って前記ＲＳリソースを受信するための手段と
を備える、装置。
［Ｃ２４］
基地局によるワイヤレス通信のための装置であって、
どの送信ビームを、ビーム改良プロシージャの一部としてユーザ機器（ＵＥ）に基準信号（ＲＳ）リソースを送信するために使用すべきかを決定するための手段と、
どのＲＳリソースが、同じ送信ビームまたは送信ビームの同じセットを使用して前記基地局によって送信されるべきであるかを示す情報を前記ＵＥに与えるための手段と、
前記決定に従って前記ＲＳリソースを送信するための手段と
を備える、装置。
［Ｃ２５］
ユーザ機器（ＵＥ）によるワイヤレス通信のための装置であって、
基準信号（ＲＳ）を送信するためのＲＳリソースのセットを伴うビーム改良プロシージャに関する情報を取得することと、前記情報は、どのＲＳリソースが、同じ送信ビームまたは送信ビームの同じセットを使用して基地局によって送信されるべきであるかを示す、
前記情報に基づいて、どの受信ビームまたは受信ビームのセットを、前記基地局によって送信された前記ＲＳリソースの受信のために使用すべきかを決定することと、
前記決定に従って前記ＲＳリソースを受信することと
を行うように構成された少なくとも１つのプロセッサと、
前記少なくとも１つのプロセッサと結合されたメモリと
を備える、装置。
［Ｃ２６］
基地局によるワイヤレス通信のための装置であって、
どの送信ビームを、ビーム改良プロシージャの一部としてユーザ機器（ＵＥ）に基準信号（ＲＳ）リソースを送信するために使用すべきかを決定することと、
どのＲＳリソースが、同じ送信ビームまたは送信ビームの同じセットを使用して前記基地局によって送信されるべきであるかを示す情報を前記ＵＥに与えることと、
前記決定に従って前記ＲＳリソースを送信することと
を行うように構成された少なくとも１つのプロセッサと、
前記少なくとも１つのプロセッサと結合されたメモリと
を備える、装置。